(57)【要約】    【課題】防犯設定が行われた監視状態の住戸内に侵入した泥棒等の不審者を、住戸外へと逃亡させない、若しくは逃亡を遅延させること。    【解決手段】防犯設定が行われた監視状態の防犯センサ５ａ、５ｂが作動したとき、玄関ドア２の電気錠２００を施錠状態のまま維持する。若しくは電気錠にサムターン２００ａが設けられている場合、このサムターンの回転をロックさせて（電気錠を）施錠状態のまま維持する。また、外部解錠装置３の解錠操作を検出した電気錠コントローラ４の制御により、サムターンを回転可能にする。また、防犯設定が行われた監視状態の防犯センサが作動しても、所定の時間が経過するまでの間は警報の発報を行わない。さらに、防犯設定が行われた監視状態の防犯センサが作動したとき、居住者が住戸内に在室中であった場合には、電気錠を所定の時間、解錠させる。  【選択図】図１
2007129321.tif 000002
【特許請求の範囲】
【請求項１】
玄関に設置される玄関子機（１）と、住戸内に設置され前記玄関子機からの呼び出しが報知され通話を成立させるための居室親機（６）と、前記居室親機に内蔵され若しくは前記住戸内に設置される解錠手段（３、６０３）からの解錠信号により解錠される玄関ドア（２）の電気錠（２００）とを備え、
前記居室親機には、住戸内外の窓やドアの開閉、前記住戸内の人物の動きを検知して防犯検知信号を出力するための防犯センサ（５ａ、５ｂ）が接続され、前記防犯センサを監視状態に移行させるための防犯設定部（６０４）を備え、
前記監視状態時に前記防犯センサが作動したとき、前記防犯検知信号により前記電気錠を解錠させる前記解錠手段からの解錠信号を無効とする制御を行うための制御部（６１３）を有することを特徴とするインターホンシステム。
【請求項２】
玄関に設置される玄関子機（１）と、住戸内に設置され前記玄関子機からの呼び出しが報知され通話を成立させるための居室親機（６）と、前記居室親機に内蔵され若しくは前記住戸内に設置される解錠手段（３、６０３）からの解錠信号により解錠される玄関ドア（２）の電気錠（２００）とを備え、
前記居室親機には、住戸内外の窓やドアの開閉、前記住戸内の人物の動きを検知して防犯検知信号を出力するための防犯センサ（５ａ、５ｂ）が接続され、前記防犯センサを監視状態に移行させるための防犯設定部（６０４）を備え、
前記監視状態時に前記防犯センサが作動したとき、前記防犯検知信号により前記電気錠のサムターン（２００ａ）が施錠状態で維持されるように動作してロックするロック機構（２００ｂ）を備えることを特徴とするインターホンシステム。
【請求項３】
外部解錠装置（３）からの解錠操作時に、前記ロック機構を解除する制御を行うための電気錠コントローラ（４）を備えることを特徴とする請求項２記載のインターホンシステム。
【請求項４】
前記居室親機は、前記防犯センサが作動してから所定時間の経過後に警報を発報することを特徴とする請求項１乃至請求項３のうち何れか１項記載のインターホンシステム。
【請求項５】
前記居住者による在宅防犯設定時に、前記防犯センサが検知したとき、前記警報の発報を行うとともに、前記電気錠を所定時間、解錠させる制御を行うことを特徴とする請求項１乃至請求項４のうち何れか１項記載のインターホンシステム。
【発明の詳細な説明】
【技術分野】
【０００１】
本発明はインターホンシステムに係り、特に、防犯設定が行われた監視状態の住戸内にて発生したセキュリティ異常の検知機能および警報の発報機能が備えられたインターホンシステムに関する。
【背景技術】
【０００２】
従来から、警報発報可能な範囲を拡大し、防犯に備えることができる電気錠制御装置が開示されている（例えば、特許文献１を参照。）。
【０００３】
この電気錠制御装置によれば、警戒ボタンを押すことにより警戒モードが設定されているとき、電気錠が電気錠駆動信号によらず解錠されるか、或いは電気錠が設置されるドア等が開扉されると、警報装置接点回路がオンされ、警報装置から警報発報される。その後、警戒ボタンが押されると、警報装置接点回路がオフとなり、警報装置による警報発報が停止される。したがって、警報装置を各所に設けることにより、警報が報知されない範囲をなくし、何れの場所においても防犯に対応することができる。
【０００４】
【特許文献１】特開平１１−１３４５６４号公報（段落番号「０００８」乃至「００１６」、第１図、第２図）
【発明の開示】
【発明が解決しようとする課題】
【０００５】
しかしながら、背景技術に記載した特許文献１の電気錠制御装置において、警戒モードが設定されているとき、住戸内に侵入した泥棒等の不審者によって電気錠が電気錠駆動信号によらず解錠されるか、或いは電気錠が設置されるドア等が開扉されると、警報装置から警報発報することができる。一方、この警報発報を確認した人物、例えば、警備会社等の警備員が警報発報元に駆け付けたときには、泥棒等の不審者がドア等を開けて住戸外へと既に逃亡している虞があった。
【０００６】
本発明は、この難点を解消するためになされたもので、防犯設定が行われた監視状態の住戸内に侵入した泥棒等の不審者を、住戸外へと逃亡させない、若しくは逃亡を遅延させることができるインターホンシステムを提供することを目的としている。
【課題を解決するための手段】
【０００７】
前述の目的を達成するため、本発明の第１の態様であるインターホンシステムは、玄関に設置される玄関子機と、住戸内に設置され玄関子機からの呼び出しが報知され通話を成立させるための居室親機と、居室親機に内蔵され若しくは住戸内に設置される解錠手段からの解錠信号により解錠される玄関ドアの電気錠とを備えたものである。居室親機には、住戸内外の窓やドアの開閉、住戸内の人物の動きを検知して防犯検知信号を出力するための防犯センサが接続され、防犯センサを監視状態に移行させるための防犯設定部を備えている。監視状態時に防犯センサが作動したとき、防犯検知信号により電気錠を解錠させる解錠手段からの解錠信号を無効とする制御を行うための制御部を有している。
【０００８】
また、本発明の第２の態様であるインターホンシステムは、玄関に設置される玄関子機と、住戸内に設置され玄関子機からの呼び出しが報知され通話を成立させるための居室親機と、居室親機に内蔵され若しくは住戸内に設置される解錠手段からの解錠信号により解錠される玄関ドアの電気錠とを備えたものである。居室親機には、住戸内外の窓やドアの開閉、住戸内の人物の動きを検知して防犯検知信号を出力するための防犯センサが接続され、防犯センサを監視状態に移行させるための防犯設定部を備えている。監視状態時に防犯センサが作動したとき、防犯検知信号により電気錠のサムターンが施錠状態で維持されるように動作してロックするロック機構を備えている。
【０００９】
また、本発明の第３の態様であるインターホンシステムは、本発明の第２の態様において、外部解錠装置からの解錠操作時に、ロック機構を解除する制御を行うための電気錠コントローラを備えたものである。
【００１０】
また、本発明の第４の態様であるインターホンシステムは、本発明の第１の態様乃至第３の態様において、居室親機は、防犯センサが作動してから所定時間の経過後に警報を発報するものである。
【００１１】
また、本発明の第５の態様であるインターホンシステムは、本発明の第１の態様乃至第４の態様において、居住者による在宅防犯設定時に、防犯センサが検知したとき、警報の発報を行うとともに、電気錠を所定時間、解錠させる制御を行うものである。
【発明の効果】
【００１２】
本発明のインターホンシステムによれば、防犯設定が行われた監視状態の防犯センサが作動したとき、玄関ドアの電気錠を施錠状態のまま維持することができる。これにより、住戸内に侵入した泥棒等の不審者にとっては、玄関ドアを開成させて逃亡することができない、若しくは逃亡が遅延されるため、警報の移報を確認した人物、例えば、警備会社等警備員は、警報発報元の住戸に駆け付けた後、泥棒等の不審者の身柄を必要に応じて容易に確保（拘束）することができる。
【００１３】
また、本発明のインターホンシステムによれば、防犯設定が行われた監視状態の防犯センサが作動したとき、玄関ドアの電気錠にサムターンが設けられている場合、このサムターンの回転をロックさせて施錠状態のまま維持することができる。これにより、住戸内に侵入した泥棒等の不審者にとっては、玄関ドアを開成させて逃亡することができない、若しくは逃亡が遅延されるため、警報の移報を確認した人物、例えば、警備会社等の警備員は、警報発報元の住戸に駆け付けた後、泥棒等の不審者の身柄を必要に応じて容易に確保（拘束）することができる。
【００１４】
また、本発明のインターホンシステムによれば、外部解錠装置の解錠操作を検出した電気錠コントローラの制御により、玄関ドアの電気錠に設けられているサムターンを回転可能にすることができる。これにより、外出先から住戸内に帰宅しようとしている居住者にとっては、玄関ドアを開けることができないといった誤動作を防止できる。
【００１５】
また、本発明のインターホンシステムによれば、防犯設定が行われた監視状態の防犯センサが作動しても、所定の時間が経過するまでの間は警報の発報が行われないため、住戸内に侵入した泥棒等の不審者を、その状態で住戸内に閉じ込めておくことができる。
【００１６】
さらに、本発明のインターホンシステムによれば、防犯設定が行われた監視状態の防犯センサが作動したとき、居住者が住戸内に在室中であった場合には、玄関ドアの電気錠を所定の時間、解錠させることができる。これにより、住戸内に侵入した泥棒等の不審者にとっては、電気錠が所定の時間、解錠されている玄関ドアを開けて住戸外に逃亡することができるため、住戸内に在室中の居住者に危害が及ぶ可能性を低く抑えられる。
【発明を実施するための最良の形態】
【００１７】
以下、本発明のインターホンシステムを適用した最良の実施の形態例について、図面を参照して説明する。
【００１８】
図１は、本発明の実施例によるインターホンシステムの構成を示すシステム説明図である。
【００１９】
図１に示すインターホンシステムは、住戸外側の玄関に設置される玄関子機１と、玄関において住戸外および住戸内の間を人物、例えば、居住者や来訪者が出入りするために開閉される玄関ドア２と、住戸外側の玄関に設置され、玄関ドア２の後述する電気錠２００を住戸外側から解錠させるために所定の解錠操作（詳述せず。）が行われる外部解錠装置３と、住戸内の所定の位置、例えば、共用部に設置され、電気錠ラインＬ1を経由して接続された玄関ドア２の電気錠２００、解錠装置ラインＬ2を経由して接続された外部解錠装置３をそれぞれ制御するための電気錠コントローラ４と、住戸内外の窓やドアの開成、住戸内の人の動きを検知して防犯検知信号を出力するための少なくとも１つの防犯センサ、ここでは、２つの防犯センサ５ａ、５ｂと、住戸内に設置され、子機ラインＬ3を経由して接続された玄関子機１、コントローララインＬ4を経由して接続された電気錠コントローラ４、各センサラインＬ5a、Ｌ5bを経由して接続された２つの防犯センサ５ａ、５ｂをそれぞれ制御するための居室親機６とを備えている。
【００２０】
また、玄関子機１には、呼出ボタン１００、カメラ１０１、マイク（以下、子機マイクという。）１０２およびスピーカ（以下、子機スピーカという。）１０３が設けられている。
【００２１】
この玄関子機１において、呼出ボタン１００は、住戸外側の玄関に居る来訪者が住戸内に在室中の居住者を呼び出すために操作するものである。
【００２２】
カメラ１０１は、呼出操作を行った来訪者の映像や玄関先の周囲近傍の映像（監視映像を含む。）を撮像するためのものである。このカメラ１０１としては、ＣＣＤ（Charge Coupled Devices）、ＣＭＯＳ（Complementary Metal Oxide Semiconductor）等の各種撮像素子が好適とされる。
【００２３】
子機マイク１０２および子機スピーカ１０３は、来訪者が居住者との間で通話を成立させるにあたり、音声（送話音声、受話音声）を入出力するためのものである。なお、子機スピーカ１０３は、来訪者から居住者への呼び出しが正常に行われた旨の確認音や音声メッセージ等、２つの防犯センサ５ａ、５ｂのうち少なくとも何れか１つの当該防犯センサが作動して検知されたセキュリティ異常の内容を示す警報音や音声メッセージ等をそれぞれ放音／鳴動する機能も有している。
【００２４】
また、玄関ドア２には、当該玄関ドアを電気的に施解錠するための電気錠２００が設けられている。この電気錠２００には、玄関ドア２を手動にて施解錠するためのサムターン２００ａと、サムターン２００ａが施錠状態で維持されるように動作してロックするためのロック機構２００ｂとを備えることができる。
【００２５】
また、外部解錠装置３には、キー入力部３００およびスピーカ（以下、解錠装置スピーカという。）３０１が設けられている。
【００２６】
この外部解錠装置３において、キー入力部３００は、玄関ドア２の電気錠２００を電気的に解錠させるにあたり、例えば、外出先から住戸内に帰宅しようとしている居住者が所定の入力操作（詳述せず。）を行うためのものである。このキー入力部３００としては、５キー、１０キー等のキーボタンが好適とされる。
【００２７】
解錠装置スピーカ３０１は、キー入力部３００にて行われた解錠操作が正常な操作であるか否かを示す確認音や音声メッセージ等、玄関ドア２の電気錠２００が解錠された旨の確認音や音声メッセージ等、２つの防犯センサ５ａ、５ｂのうち少なくとも何れか１つの当該防犯センサが作動して検知されたセキュリティ異常の内容を示す警報音や音声メッセージ等をそれぞれ放音／鳴動する機能を有している。
【００２８】
また、電気錠コントローラ４には、電気錠解錠ボタン（以下、コントローラ電気錠解錠ボタンという。）４００およびスピーカ（以下、コントローラスピーカという。）４０１が設けられている。
【００２９】
この電気錠コントローラ４において、コントローラ電気錠解錠ボタン４００は、玄関ドア２の電気錠２００を電気的に解錠させるにあたり、居住者が解錠操作を行うためのものである。
【００３０】
コントローラスピーカ４０１は、玄関ドア２の電気錠２００が解錠された旨の確認音や音声メッセージ等、２つの防犯センサ５ａ、５ｂのうち少なくとも何れか１つの当該防犯センサが作動して検知されたセキュリティ異常の内容を示す警報音や音声メッセージ等をそれぞれ放音／鳴動するためのものである。
【００３１】
さらに、居室親機６は、スピーカ（以下、親機スピーカという。）６００、マイク（以下、親機マイクという。）６０１、通話ボタン６０２、電気錠解錠ボタン（以下、親機電気錠解錠ボタンという。）６０３、防犯設定ボタン６０４およびモニタ６０５が設けられている。
【００３２】
この居室親機６において、親機スピーカ６００は、住戸外側の玄関に居る来訪者からの呼び出しを報知するための呼出音や音声メッセージ等、玄関ドア２の電気錠２００が解錠された旨の確認音や音声メッセージ等、２つの防犯センサ５ａ、５ｂのうち少なくとも何れか１つの当該防犯センサが作動して検知されたセキュリティ異常の内容を示す警報音や音声メッセージ等をそれぞれ放音／鳴動するためのものである。また、親機スピーカ６００は、来訪者からの呼び出しに応答した居住者が通話を成立させるにあたり、音声（受話音声）を出力するための機能も有している。
【００３３】
親機マイク６０１は、来訪者からの呼び出しに応答した居住者が通話を成立させるにあたり、音声（送話音声）を入力するためのものである。
【００３４】
通話ボタン６０２は、親機スピーカ６００および親機マイク６０１を使用した通話を成立させるにあたり、居住者が応答操作を行うためのものである。
【００３５】
親機電気錠解錠ボタン６０３は、玄関ドア２の電気錠２００を電気的に解錠させるにあたり、居住者が解錠操作を行うためのものである。
【００３６】
防犯設定ボタン６０４は、２つの防犯センサ５ａ、５ｂをそれぞれ監視状態に移行させるにあたり、居住者が設定操作を行うためのものである。
【００３７】
モニタ６０５は、住戸外側の玄関に居る来訪者からの呼び出しがある旨の文字メッセージや絵データ等、玄関ドア２の電気錠２００が解錠された旨の文字メッセージや絵データ等、２つの防犯センサ５ａ、５ｂのうち少なくとも何れか１つの当該防犯センサが作動して検知されたセキュリティ異常の内容を示す文字メッセージや絵データ等をそれぞれ表示するためのものである。また、モニタ６０５は、玄関子機１のカメラ１０１にて撮像された映像を出画する機能も有している。このモニタ６０５としては、ＬＣＤ（Liquid Crystal Display）、有機ＥＬ（Electro Luminescence）ディスプレイ等の各種ディスプレイが好適とされる。
【００３８】
なお、居室親機６において、通話ボタン６０２、親機電気錠解錠ボタン６０３および防犯設定ボタン６０４は、それぞれが独立した個別のボタンとして設けたが、この態様に限定されるものではない。例えば、モニタ６０５の前面（表示面）にタッチパネルを設け、このタッチパネルに前述の各ボタン６０２、６０３、６０４の操作機能を備えることもできる。
【００３９】
また、居室親機６において、居住者が来訪者との間で通話を成立させるための構成各部／回路は、親機スピーカ６００および親機マイク６０１を使用して拡声による通話を成立させる態様を適用しているが、この態様に限定されるものではない。例えば、別途、ハンドセットを設けて当該ハンドセットによる通話を成立させる、若しくは拡声による通話機能およびハンドセットによる通話機能を双方備え、居住者が任意に何れか１つの当該通話手段を選択することもできる。
【００４０】
図２は、本発明の実施例によるインターホンシステムにおいて、電気錠コントローラ４および居室親機６の具体的な構成を示すブロック図である。
【００４１】
図２に示す電気錠コントローラ４には、前述のコントローラ電気錠解錠ボタン４００およびコントローラスピーカ４０１と、３つのインターフェース（以下、電気錠側コントローラＩ／Ｆ、解錠装置側コントローラＩ／Ｆ、親機側コントローラＩ／Ｆという。）４０２、４０３、４０４と、制御部（以下、コントローラ制御部という。）４０５とが備えられている。
【００４２】
この電気錠コントローラ４において、電気錠側コントローラＩ／Ｆ４０２は、コントローラ制御部４０５および電気錠ラインＬ1の間の信号／データ伝送路を形成するための通信回路である。
【００４３】
解錠装置側コントローラＩ／Ｆ４０３は、コントローラ制御部４０５および解錠装置ラインＬ2の間の信号／データ伝送路を形成するための通信回路である。
【００４４】
親機側コントローラＩ／Ｆ４０４は、コントローラ制御部４０５およびコントローララインＬ4の間の信号／データ伝送路を形成するための通信回路である。
【００４５】
コントローラ制御部４０５は、当該電気錠コントローラの構成各部／回路をそれぞれ制御するためのものである。
【００４６】
また、図２に示す居室親機６には、前述の親機スピーカ６００、親機マイク６０１、通話ボタン６０２、親機電気錠解錠ボタン６０３、防犯設定ボタン６０４およびモニタ６０５と、音声合成回路６０６と、通話回路６０７と、時間設定回路６０８と、タイマ６０９と、３つのインターフェース（以下、子機側親機Ｉ／Ｆ、コントローラ側親機Ｉ／Ｆ、センサ側親機Ｉ／Ｆという。）６１０、６１１、６１２と、制御部（以下、親機制御部という。）６１３とが備えられている。
【００４７】
この居室親機６において、音声合成回路６０６は、住戸外側の玄関に居る来訪者からの呼び出しを報知するための呼出音や音声メッセージ等、玄関ドア２の電気錠２００が解錠された旨の確認音や音声メッセージ等、２つの防犯センサ５ａ、５ｂのうち少なくとも何れか１つの当該防犯センサが作動して検知されたセキュリティ異常の内容を示す警報音や音声メッセージ等をそれぞれ生成するためのものである。
【００４８】
通話回路６０７は、親機マイク６０１および親機スピーカ６００を使用して入出力される音声信号（送話音声信号、受話音声信号）の信号処理、例えば、４線／２線変換、２線／４線変換、増幅等を行い、信号／データ伝送路を形成、すなわち、通話路を形成するためのものである。
【００４９】
時間設定回路６０８は、音声合成回路６０６にて生成された警報音や音声メッセージ等を親機スピーカ６００から鳴動させるにあたり、その鳴動のタイミングを遅延させる所定の時間（以下、遅延時間という。）を設定するためのものである。この時間設定回路６０８としては、ＤＩＰスイッチ等が好適とされる。
【００５０】
タイマ６０９は、時間設定回路６０８にて予め設定された遅延時間を計時するためのものである。
【００５１】
子機側親機Ｉ／Ｆ６１０は、親機制御部６１３および子機ラインＬ3の間の信号／データ伝送路を形成するための通信回路である。
【００５２】
コントローラ側親機Ｉ／Ｆ６１１は、親機制御部６１３およびコントローララインＬ4の間の信号／データ伝送路を形成するための通信回路である。
【００５３】
センサ側親機Ｉ／Ｆ６１２は、親機制御部６１３および各センサラインＬ5a、Ｌ5bの間の信号／データ伝送路をそれぞれ形成するための通信回路である。
【００５４】
親機制御部６１３は、当該居室親機の構成各部／回路をそれぞれ制御するためのものである。
【００５５】
このように構成された本発明の実施例によるインターホンシステムにおいて、以下、具体的な動作について説明する。
【００５６】
なお、本発明の実施例において、住戸外側の玄関に居る来訪者が玄関子機１の呼出ボタン１００を操作して住戸内に在室中の居住者を呼び出す動作と、この呼び出しを居室親機６の親機スピーカ６００から放音される呼出音や音声メッセージ等およびカメラ１０１にて撮像され、モニタ６０５に出画される映像を使用して呼出報知する動作と、この呼出報知を確認した居住者が通話ボタン６０２を操作して応答することにより、居住者が使用する親機スピーカ６００および親機マイク６０１と来訪者が使用する子機マイク１０２および子機スピーカ１０３との間で音声（音声信号）を送受信させる通話の動作とは、その他のインターホンシステム等にて開示されている該当動作と同様であり公知の動作であるため、説明は省略するものとする。
【００５７】
次に、外出等で住戸を不在とする前において、住戸内に在室中の居住者が防犯設定（以下、外出防犯設定という。）を行うためには、図１および図２に示す居室親機６の防犯設定ボタン６０４にて所定の操作（詳述せず。）を行う。この操作を検出した親機制御部６１３は、センサ側親機Ｉ／Ｆ６１２、各センサラインＬ5a、Ｌ5bを経由して接続された２つの防犯センサ５ａ、５ｂをそれぞれ監視状態に移行させることができる。
【００５８】
前述のような外出防犯設定が行われた監視状態時において、居住者が玄関ドア２を開けて住戸外に出るにあたっては、下述する第１、第２の各ドア操作のうち何れか１つの当該操作を行う。
【００５９】
第１のドア操作として、玄関ドア２の電気錠２００にサムターン２００ａが設けられている場合、このサムターン２００ａを回転させた後に玄関ドア２を住戸内側から開けると、予め施錠されている電気錠２００が解錠されるため、居住者は住戸外に出ることができる。また、居住者が玄関ドア２を住戸外側から閉めると、電気錠２００が施錠状態に復旧されるため、これを確認した居住者は外出先に向かうことができる。
【００６０】
一方、第２のドア操作として、玄関ドア２の電気錠２００にサムターン２００ａが設けられていない場合、この玄関ドア２を住戸内側から開けると、予め施錠されている電気錠２００が解錠されるため、居住者は住戸外に出ることができる。また、居住者が玄関ドア２を住戸外側から閉めると、電気錠２００が施錠状態に復旧されるため、これを確認した居住者は外出先に向かうことができる。
【００６１】
また、前述のような外出防犯設定が行われた監視状態時において、外出により居住者が不在である住戸内に設置された２つの防犯センサ５ａ、５ｂのうち、少なくとも何れか１つの当該防犯センサ、ここでは、防犯センサ５ａが設置された窓やドアをこじ開けて泥棒等の不審者が住戸内に侵入すると、防犯センサ５ａが作動してセキュリティ異常を検知する。この防犯センサ５ａは、検知されたセキュリティ異常の内容を示す防犯検知信号（以下、第１の防犯検知信号という。）を生成し、センサラインＬ5a、居室親機６のセンサ側親機Ｉ／Ｆ６１２を経由して親機制御部６１３に出力することができる。
【００６２】
居室親機６の親機制御部６１３は、防犯センサ５ａからの第１の防犯検知信号を検出すると、タイマ６０９の計時機能が能動となるように制御し、時間設定回路６０８にて予め設定された遅延時間の計時を開始させるとともに、音声合成回路６０６を制御して生成させた警報音や音声メッセージ等を親機スピーカ６００から鳴動させることができる。すなわち、警報の発報を行うことができる。なお、警報の発報としては、親機スピーカ６００の使用による聴覚を通じた報知のみならず、モニタ６０５に文字メッセージや絵データ等を表示させて視覚を通じて報知することもできる。また、居室親機６に公衆回線（一般回線）網や特別な通信回線網を経由して警備会社（のコンピュータやサーバ）や外出先の居住者により携行された携帯通信端末等が接続されている場合、親機制御部６１３は、この警備会社や携帯通信端末等に対して、防犯センサ５ａが設置された窓やドアをこじ開けて泥棒等の不審者が住戸内に侵入した内容を移報することもできる。すなわち、警報の移報を行うことができる。
【００６３】
また、居室親機６の親機制御部６１３は、防犯センサ５ａからの第１の防犯検知信号を検出すると、玄関ドア２の電気錠２００を解錠させるにあたり、電気錠コントローラ４のコントローラ制御部４０５にて生成される解錠信号を無効にするための制御信号（以下、第１の制御信号という。）を生成する。この第１の制御信号は、親機制御部６１３からコントローラ側親機Ｉ／Ｆ６１１、コントローララインＬ4、電気錠コントローラ４の親機側コントローラＩ／Ｆ４０４を経由してコントローラ制御部４０５に伝送される。
【００６４】
さらに、居室親機６の親機制御部６１３は、防犯センサ５ａからの第１の防犯検知信号を検出すると、玄関ドア２の電気錠２００にサムターン２００ａが設けられている場合、このサムターン２００ａが施錠状態で維持されるようにロック機構２００ｂを制御するための制御信号（以下、第２の制御信号という。）を生成する。この第２の制御信号は、前述の第１の制御信号と同一のデータ／信号伝送路を経由して電気錠コントローラ４のコントローラ制御部４０５に伝送される。
【００６５】
電気錠コントローラ４のコントローラ制御部４０５は、居室親機６からの第１の制御信号を検出すると、以後に行われる居室親機６の親機電気錠解錠ボタン６０３および／またはコントローラ電気錠解錠ボタン４００の操作を無効な操作として判断することができる。
【００６６】
また、電気錠コントローラ４のコントローラ制御部４０５は、居室親機６からの第２の制御信号を検出すると、玄関ドア２の電気錠２００に設けられているサムターン２００ａを施錠状態で維持させるための制御信号（以下、第３の制御信号という。）を生成する。この第３の制御信号は、コントローラ制御部４０５から電気錠側コントローラＩ／Ｆ４０３、電気錠ラインＬ1を経由して玄関ドア２の電気錠２００に伝送され、当該電気錠に設けられたロック機構２００ｂをロック動作させることにより、サムターン２００ａの回転が防止されて（当該電気錠の）施錠状態を維持することができる。
【００６７】
また、前述までの動作において、居室親機６の音声合成回路６０６にて生成された警報音や音声メッセージ等は、親機スピーカ６００のみならず、親機制御部６１３、子機側親機Ｉ／Ｆ６１０、子機ラインＬ3を経由して玄関子機１に伝送され、子機スピーカ１０３から鳴動させることができるばかりでなく、親機制御部６１３、コントローラ側親機Ｉ／Ｆ６１１、コントローララインＬ4、電気錠コントローラ４の親機側コントローラＩ／Ｆ４０４を経由してコントローラ制御部４０５および／または当該コントローラ制御部、外部装置側コントローラＩ／Ｆ４０３、解錠装置ラインＬ2を経由して外部解錠装置３に伝送され、このコントローラ制御部４０５および／または当該外部解錠装置の制御により、コントローラスピーカ４０１および／または解錠装置スピーカ３０１から鳴動させることができる。すなわち、警報の移報を行うことができる。
【００６８】
なお、居室親機６の親機スピーカ６００、玄関子機１の子機スピーカ１０３、電気錠コントローラ４のコントローラスピーカ４０１および外部解錠装置３の解錠装置スピーカ３０１のうち、少なくとも何れか１つの当該スピーカから警報音や音声メッセージ等を鳴動させるタイミングとしては、親機制御部６１３が防犯センサ５ａからの第１の防犯検知信号を検出したタイミングのみならず、タイマ６０９にて計時中の遅延時間が経過後のタイミングで行うこともできる。このタイミング制御によって、防犯センサ５ａが作動しても、タイマ６０９にて計時中の遅延時間内は警報の発報が行われないため、住戸内に侵入している泥棒等の不審者による速やかな逃亡を防ぐことができる。
【００６９】
次に、住戸内に侵入している泥棒等の不審者は、その心理として、侵入元とは異なる場所から逃亡する傾向が高く、住戸外への逃亡が容易な玄関ドア２を開けることが多い。そこで、泥棒等の不審者は、例えば、前述の警報の発報を確認した後、玄関ドア２の電気錠２００を解錠させるにあたり、下述する第１、第２の各解錠操作のうち何れか１つの当該操作を行う。
【００７０】
第１の解錠操作として、住戸内に侵入している泥棒等の不審者により居室親機６の親機電気錠解錠ボタン６０３が操作されると、この操作を検出した親機制御部６１３は、親機解錠起動信号を生成し、前述の第１、第２の各制御信号と同一のデータ／信号伝送路を経由して電気錠コントローラ４のコントローラ制御部４０５に出力することができる。
【００７１】
ここで、電気錠コントローラ４のコントローラ制御部４０５は、居室親機６からの親機解錠起動信号を無効であると判断し、玄関ドア２の電気錠２００を解錠せずに施錠状態を維持することができるばかりでなく、電気錠２００にサムターン２００ａが設けられている場合、ロック機構２００ｂをロック動作させ、サムターン２００ａの回転を防止することができる。したがって、電気錠２００の施錠状態が維持されることになる。このロック制御によって、住戸内に侵入している泥棒等の不審者は、玄関ドア２を開けて住戸外へと逃亡できず、若しくは逃亡が遅延されるため、前述の警報の移報を確認した人物、例えば、警備会社等の警備員が警報発報元の住戸に駆け付けるまでの十分な時間を確保することができる。
【００７２】
一方、第２の解錠操作として、住戸内に侵入している泥棒等の不審者により電気錠コントローラ４のコントローラ電気錠解錠ボタン４００が操作されると、コントローラ制御部４０５は、第２の解錠操作が無効であると判断し、前述の第１の解錠操作時と同様、電気錠２００を解錠せずに施錠状態を維持することができるばかりでなく、電気錠２００にサムターン２００ａが設けられている場合、ロック機構２００ｂをロック動作させ、サムターン２００ａの回転を防止することができる。したがって、電気錠２００の施錠状態が維持されることになる。このロック制御によって、住戸内に侵入している泥棒等の不審者は、玄関ドア２を開けて住戸外へと逃亡できず、若しくは逃亡が遅延されるため、前述の警報の移報を確認した人物、例えば、警備会社等の警備員が警報発報元の住戸に駆け付けるまでの十分な時間を確保することができる。
【００７３】
次に、前述の警報の移報を確認した人物、例えば、警備会社等の警備員が警報発報元の住戸へと駆け付けた後、外部解錠装置３のキー入力部３００を使用して、玄関ドア２の電気錠２００を電気的に解錠させるための所定の入力操作（詳述せず。）を行うと、外部解錠信号が生成される。この外部解錠信号は、外部解錠装置３から解錠装置ラインＬ2、電気錠コントローラ４の解錠装置側コントローラＩ／Ｆ４０３、コントローラ制御部４０５、親機側コントローラＩ／Ｆ４０４、コントローララインＬ4、居室親機６のコントローラ側親機Ｉ／Ｆ６１１を経由して居室親機制御部６１３に伝送される。
【００７４】
居室親機６の居室親機制御部６１３は、外部解錠装置３からの外部解錠信号を検出すると、外部解錠装置３にて行われた解錠操作が有効であると判断して、音声合成回路６０６を制御して生成させた確認音や音声メッセージ等を、前述の外部解錠信号のデータ／信号伝送路と逆の順路で外部解錠装置３に伝送させ、解錠装置スピーカ３０１から放音することができるとともに、玄関ドア２の電気錠２００を解錠させるための制御信号（以下、第４の制御信号という。）を生成する。この第４の制御信号は、前述の第１乃至第３の各制御信号と同一のデータ／信号伝送路を経由して電気錠コントローラ４のコントローラ制御部４０５に伝送される。
【００７５】
電気錠コントローラ４のコントローラ制御部４０５は、居室親機６からの第４の制御信号を検出すると、玄関ドア２の電気錠２００を解錠させるための解錠信号を生成する。この解錠信号は、コントローラ制御部４０５から電気錠側コントローラＩ／Ｆ４０３、電気錠ラインＬ1を経由して玄関ドア２の電気錠２００に伝送され、施錠されている電気錠２００を解錠させることができる。この解錠制御によって、警報発報元の住戸へと駆け付けた警備会社の警備員等は、玄関ドア２を開けて住戸内に入り、泥棒等の不審者の身柄を必要に応じて容易に確保（拘束）することができる。
【００７６】
なお、前述までの説明では、玄関ドア２の電気錠２００を解錠させるにあたり電気錠コントローラ４の電気錠コントローラ制御部４０５にて生成される解錠信号を無効にするための第１の制御信号と、玄関ドア２の電気錠２００にサムターン２００ａが設けられている場合、このサムターン２００ａの回転を防止して電気錠２００が施錠状態で維持されるようにロック機構２００ｂを制御するための第２の制御信号とをそれぞれ生成する当該制御部として、防犯センサ５ａからの第１の防犯検知信号を検出した居室親機６の親機制御部６１３を適用したが、これに限定されるものではない。例えば、防犯センサ５ａからの第１の防犯検知信号を検出した電気錠コントローラ４のコントローラ制御部４０５にて同様な信号をそれぞれ生成させることもできる。
【００７７】
また、前述までの説明では、居室親機６からの第４の制御信号を検出したタイミングで、電気錠コントローラ４のコントローラ制御部４０５の制御により、玄関ドア２の電気錠２００を解錠するための解錠信号を生成させたが、この態様に限定されるものではない。例えば、居室親機６の親機制御部６１３にて同様な信号を生成させることもできる。
【００７８】
次に、夜間帯、例えば、深夜帯のような就寝前において、住戸内に在室中の居住者が防犯設定（以下、在室防犯設定という。）を行うためには、居室親機６の防犯設定ボタン６０４にて所定の操作（詳述せず。）を行う。この操作を検出した親機制御部６１３は、前述の外出防犯設定と同様、センサ側親機Ｉ／Ｆ６１２、各センサラインＬ5a、Ｌ5bを経由して接続された２つの防犯センサ５ａ、５ｂをそれぞれ監視状態に移行させることができる。
【００７９】
前述のような在室防犯設定が行われた監視状態時において、居住者が在室中の住戸内に設置された２つの防犯センサ５ａ、５ｂのうち、少なくとも何れか１つの当該防犯センサ、ここでは、防犯センサ５ｂが設置された窓やドアをこじ開けて泥棒等の不審者が住戸内に侵入すると、防犯センサ５ｂが作動してセキュリティ異常を検知する。この防犯センサ５ｂは、検知されたセキュリティ異常の内容を示す防犯検知信号（以下、第２の防犯検知信号という。）を生成し、センサラインＬ5b、居室親機６のセンサ側親機Ｉ／Ｆ６１２を経由して親機制御部６１３に出力することができる。
【００８０】
居室親機６の親機制御部６１３は、防犯センサ５ｂからの第２の防犯検知信号を検出すると、前述の防犯センサ５ａからの第１の防犯検知信号を検出したときと同様、タイマ６０９の計時機能が能動となるように制御し、時間設定回路６０９にて予め設定された遅延時間の計時を開始させるとともに、音声合成回路６０６を制御して生成させた警報音や音声メッセージ等を親機スピーカ６００から鳴動させることができる。すなわち、警報の発報を行うことができる。なお、警報の発報としては、親機スピーカ６００の使用による聴覚を通じた報知のみならず、モニタ６０５に文字メッセージや絵データを表示させて視覚を通じて報知することもできる。また、居室親機６に公衆回線（一般回線）網や特別な通信回線網を経由して警備会社（のコンピュータやサーバ）や外出先の居住者により携行された携帯通信端末等が接続されている場合、親機制御部６１３は、この警備会社や携帯通信端末等に対して、防犯センサ５ｂが設置された窓やドアをこじ開けて泥棒等の不審者が住戸内に侵入した内容を移報することもできる。すなわち、警報の移報を行うことができる。
【００８１】
また、居室親機６の親機制御部６１３は、防犯センサ５ｂからの第２の防犯検知信号を検出すると、タイマ６０９が有する計時機能を利用して、玄関ドア２の電気錠２００を所定の時間、解錠させるための制御信号（以下、第５の制御信号という。）を生成する。この第５の制御信号は、前述の第１乃至第４の各制御信号と同一のデータ／信号伝送路を経由して電気錠コントローラ４のコントローラ制御部４０５に伝送される。
【００８２】
電気錠コントローラ４のコントローラ制御部４０５は、居室親機６からの第５の制御信号を検出すると、タイマ６０９にて計時されている所定の時間のみ、玄関ドア２の電気錠２００を解錠させるための解錠信号（以下、時間内解錠信号という。）を生成する。この時間内解錠信号は、前述の解錠信号と同一のデータ／信号伝送路を経由して玄関ドア２の電気錠２００に伝送され、施錠されている電気錠２００を所定の時間、解錠させることができる。
【００８３】
なお、居室親機６の音声合成回路６０６にて生成された警報音や音声メッセージ等は、前述の防犯センサ５ａが作動したときと同様、親機スピーカ６００、玄関子機１の子機スピーカ１０３、外部解錠装置３の解錠装置スピーカ３０１および電気錠コントローラ４のコントローラスピーカ４０２のうち、少なくとも何れか１つの当該スピーカから鳴動させることができる。この鳴動させるタイミングとしては、居住者が住戸内に在室中であるため、親機制御部６１３が防犯センサ５ｂからの第２の防犯検知信号を検出したタイミングで行うのが好ましい。
【００８４】
また、住戸内に侵入している泥棒等の不審者は、その心理として、侵入元とは異なる場所から逃亡する傾向が高く、住戸外への逃亡が容易な玄関ドア２を開けることが多い。そこで、泥棒等の不審者は、例えば、前述の警報の発報を確認した後、電気錠２００が所定の時間、解錠されている玄関ドア２を開成させて住戸外に逃亡することができるため、住戸内に在室中の居住者に危害が及ぶ可能性を低く抑えられる。
【００８５】
なお、前述までの説明では、居室親機６からの第５の制御信号を検出したタイミングで、電気錠コントローラ４のコントローラ制御部４０５の制御により、玄関ドア２の電気錠２００を所定の時間、解錠するための時間内解錠信号を生成させたが、この態様に限定されるものではない。例えば、居室親機６の親機制御部６１３にて同様な信号を生成させることもできる。
【００８６】
また、本発明の実施例によれば、居室親機６の音声合成回路６０６にて生成された警報音や音声メッセージ等を親機スピーカ６００から鳴動させるにあたり、その鳴動のタイミングを遅延させる遅延時間を設定する時間設定回路６０８と、時間設定回路６０８にて予め設定された遅延時間を計時するためのタイマ６０９とを当該居室親機に備えた場合について説明したが、この態様に限定されるものではない。例えば、時間設定回路６０８およびタイマ６０９を電気錠コントローラ４に備えることもできる。
【００８７】
本発明のインターホン装置においては、特定の実施の形態をもって説明してきたが、この形態に限定されるものでなく、本発明の効果を奏する限り、これまで知られた如何なる構成、例えば、マンション等の集合住宅に設置されるインターホンシステムであっても採用できるということはいうまでもないことである。
【図面の簡単な説明】
【００８８】
【図１】本発明の実施例によるインターホンシステムの構成を示すシステム説明図。
【図２】本発明の実施例によるインターホンシステムにおいて、電気錠コントローラおよび居室親機の具体的な構成を示すブロック図。
【符号の説明】
【００８９】
１……玄関子機
２……玄関ドア
２００……電気錠
２００ａ……サムターン
２００ｂ……ロック機構
３……外部解錠装置（解錠手段）
４……電気錠コントローラ
５ａ、５ｂ……防犯センサ
６……居室親機
６０３……親機電気錠解錠ボタン（解錠手段）
６０４……防犯設定ボタン（防犯設定部）
６１３……親機制御部（制御部）
【図１】
2007129321.tif 000003
【図２】
2007129321.tif 000004